(57)【特許請求の範囲】
【請求項１】
パネル本体と、電力により駆動される電動機と、前記電動機の駆動により少なくとも天井面あるいは床面との隙間を閉塞するように移動可能な閉塞部材と、を有する間仕切パネル体を備え、
複数の前記間仕切パネル体を誘導路に沿って移動規制端部の方向に移動させて連接させることにより空間を仕切る間仕切パネル装置であって、
前記間仕切パネル体を前記移動規制端部の方向に押圧可能な押圧機構を備え、
前記押圧機構によって複数の前記間仕切パネル体が押圧された状態で、隣接する前記間仕切パネル体の側部に設けられた電極同士が接続され、前記電動機に電力を供給可能な電力供給回路が形成され、
前記間仕切パネル体は、前記閉塞部材の移動の完了を検知する移動完了検知手段と、当該間仕切パネル体に隣接する前記間仕切パネル体に移動完了状態信号を送信する送信部と、当該間仕切パネル体に隣接する別の前記間仕切パネル体から前記移動完了状態信号を受信する受信部と、を備え、
前記移動完了検知手段の検知に基づき、前記送信部から前記移動完了状態信号を送信することを特徴とする間仕切パネル装置。
【請求項２】
前記電力供給回路を構成する前記間仕切パネル体の電気回路は、一対の入力端子と、一対の出力端子と、前記入力端子を介して供給される電力により動作する前記電動機と、前記受信部に接続される切替スイッチと、一方の前記入力端子と一方の前記出力端子との間を接続する第１直通ラインと、他方の前記入力端子と他方の前記出力端子との間を接続する第２直通ラインと、を備え、
前記電動機及び前記切替スイッチは、前記第１直通ラインと前記第２直通ラインとの間に直列接続されており、
前記切替スイッチは、前記受信部が前記移動完了状態信号を受信した状態では、前記入力端子と前記電動機とを電気的に接続する電気回路であり、
さらに、前記間仕切パネル体は、前記送信部に接続される通知制御部を備え、
前記通知制御部は、前記移動完了検知手段が前記閉塞部材の移動の完了を検知した状態では、前記送信部から前記移動完了状態信号を送信することを特徴とする請求項１に記載の間仕切パネル装置。
【請求項３】
パネル本体と、電力により駆動される電動機と、前記電動機の駆動により少なくとも天井面あるいは床面との隙間を閉塞するように移動可能な閉塞部材と、を有する間仕切パネル体を備え、
複数の前記間仕切パネル体を誘導路に沿って移動規制端部の方向に移動させて連接させることにより空間を仕切る間仕切パネル装置であって、
前記間仕切パネル体を前記移動規制端部の方向に押圧可能な押圧機構を備え、
前記押圧機構によって複数の前記間仕切パネル体が押圧された状態で、隣接する前記間仕切パネル体の側部に設けられた電極同士が接続され、前記電動機に電力を供給可能な電力供給回路が形成され、
前記間仕切パネル体は、前記閉塞部材の移動の完了を検知する移動完了検知手段を備え、
前記移動完了検知手段の検知に基づき、当該間仕切パネル体に隣接する前記間仕切パネル体に前記電極を介して電力を供給可能な状態とすることを特徴とする間仕切パネル装置。
【請求項４】
前記電力供給回路を構成する前記間仕切パネル体の電気回路は、一対の入力端子と、一対の出力端子と、前記入力端子を介して供給される電力により動作する前記電動機と、前記移動完了検知手段に接続される切替スイッチと、を備え、
前記入力端子は、前記電動機と接続され、少なくとも一方の前記入力端子は、前記切替スイッチを介して前記電動機と接続されており、
前記切替スイッチは、前記移動完了検知手段が前記閉塞部材の移動の完了を検知していない状態では、前記入力端子と前記電動機とを電気的に接続し、前記移動完了検知手段が前記閉塞部材の移動の完了を検知した状態では、前記入力端子と前記出力端子とを電気的に接続することを特徴とする請求項３に記載の間仕切パネル装置。
【請求項５】
前記電気回路は、前記電動機と前記切替スイッチを複数組備え、
前記切替スイッチと前記出力端子との間に、複数の前記切替スイッチからの入力信号の論理積に基づき前記切替スイッチを切替させる論理装置が設けられていることを特徴とする請求項２または４に記載の間仕切パネル装置。
【請求項６】
前記入力端子と前記出力端子との電気的な接続は、前記移動完了検知手段の検知結果に応じて動作するリレーにより行われることを特徴とする請求項２または４に記載の間仕切パネル装置。
【発明の詳細な説明】
【技術分野】
【０００１】
本発明は、複数の間仕切パネル体により室内空間を仕切る間仕切パネル装置に関する。
【背景技術】
【０００２】
オフィスや会議室、展示場等の室内空間を用途に合わせて区画して使用するために、天井に設けられたレールに沿って移動可能に吊支される複数の間仕切パネル体を備える間仕切パネル装置が用いられている。このような間仕切パネル装置には、例えば、特許文献１に開示されているような技術が採用されている。特許文献１によれば、可動間仕切（間仕切パネル装置）は、上枠に設けられるレールに懸架されて移動可能な間仕切本体と、間仕切本体と床面との間に形成される隙間を閉塞する閉塞部材と、該閉塞部材を動作させる閉塞機構と、間仕切本体を所定の位置にロックするロック機構と、から主に構成されている。ロック機構は、閉塞機構の機能も兼ねており、間仕切本体の前面に設けられたロック操作部にクランクハンドルを装着して回転操作することにより動作し、該ロック機構の動作に連動して間仕切本体の下端部から閉塞部材が突出して間仕切本体と床面との間に形成される隙間を閉塞すると共に床面に対して押圧部材を押圧させて間仕切本体を移動させた位置で固定できるようになっている。
【先行技術文献】
【特許文献】
【０００３】
【特許文献１】実用新案登録第２５４１２１４号公報（第３頁、第１図）
【発明の概要】
【発明が解決しようとする課題】
【０００４】
しかしながら、特許文献１にあっては、懸架された間仕切本体をレールに沿って所定の位置まで移動させて壁あるいは隣接する間仕切本体に側端部を接触させた状態で間仕切本体毎に手動でロック機構を動作させ、間仕切本体の下端部から閉塞部材を突出させて床面との間に形成される隙間を閉塞すると同時に間仕切本体を固定しているため、壁あるいは隣接する間仕切本体との接触が不十分な状態や、間仕切本体がレールとの懸架部分から垂直方向に対して傾斜した状態で閉塞部材によって間仕切本体が固定される虞があり、可動間仕切による空間の遮蔽性が損なわれるという問題があった。
【０００５】
本発明は、このような問題点に着目してなされたもので、間仕切パネル装置による空間の遮蔽性を高めることができる間仕切パネル装置を提供することを目的とする。
【課題を解決するための手段】
【０００６】
前記課題を解決するために、本発明の間仕切パネル装置は、
パネル本体と、電力により駆動される電動機と、前記電動機の駆動により少なくとも天井面あるいは床面との隙間を閉塞するように移動可能な閉塞部材と、を有する間仕切パネル体を備え、
複数の前記間仕切パネル体を誘導路に沿って移動規制端部の方向に移動させて連接させることにより空間を仕切る間仕切パネル装置であって、
前記間仕切パネル体を前記移動規制端部の方向に押圧可能な押圧機構を備え、
前記押圧機構によって複数の前記間仕切パネル体が押圧された状態で、隣接する前記間仕切パネル体の側部に設けられた電極同士が接続され、前記電動機に電力を供給可能な電力供給回路が形成され、
前記間仕切パネル体は、前記閉塞部材の移動の完了を検知する移動完了検知手段と、当該間仕切パネル体に隣接する前記間仕切パネル体に移動完了状態信号を送信する送信部と、当該間仕切パネル体に隣接する別の前記間仕切パネル体から前記移動完了状態信号を受信する受信部と、を備え、
前記移動完了検知手段の検知に基づき、前記送信部から前記移動完了状態信号を送信することを特徴としている。
この特徴によれば、複数の連接された間仕切パネル体が同時に押圧されることにより、間仕切パネル体同士の側部が上下左右に亘り精度良く位置決めされた状態で電極同士を確実に接触させ電力供給回路を形成し、かつ電動機を駆動させて閉塞部材を動作させることができ、間仕切パネル装置による空間の遮蔽性を確実に高めることができる。
【０００７】
前記間仕切パネル体は、前記閉塞部材の移動の完了を検知する移動完了検知手段と、当該間仕切パネル体に隣接する前記間仕切パネル体に移動完了状態信号を送信する送信部と、当該間仕切パネル体に隣接する別の前記間仕切パネル体から前記移動完了状態信号を受信する受信部と、を備え、
前記移動完了検知手段の検知に基づき、前記送信部から前記移動完了状態信号を送信することを特徴としている。
この特徴によれば、隣接する間仕切パネル体の電動機に受信部における移動完了状態信号の受信に基づき順次電力を供給することにより、順次閉塞部材を移動させることができるため、少なくとも１つの間仕切パネル体に設けられる閉塞部材を移動させるために必要な電力を供すればよく電源を小型にできる。
【０００８】
前記電力供給回路を構成する前記間仕切パネル体の電気回路は、一対の入力端子と、一対の出力端子と、前記入力端子を介して供給される電力により動作する前記電動機と、前記受信部に接続される切替スイッチと、一方の前記入力端子と一方の前記出力端子との間を接続する第１直通ラインと、他方の前記入力端子と他方の前記出力端子との間を接続する第２直通ラインと、を備え、
前記電動機及び前記切替スイッチは、前記第１直通ラインと前記第２直通ラインとの間に直列接続されており、
前記切替スイッチは、前記受信部が前記移動完了状態信号を受信した状態では、前記入力端子と前記電動機とを電気的に接続する電気回路であり、
さらに、前記間仕切パネル体は、前記送信部に接続される通知制御部を備え、
前記通知制御部は、前記移動完了検知手段が前記閉塞部材の移動の完了を検知した状態では、前記送信部から前記移動完了状態信号を送信することを特徴としている。
この特徴によれば、一対の入力端子と一対の出力端子は、第１直通ライン及び第２直通ラインにより接続されているため電気回路における接触抵抗がなく、複数の間仕切パネル体が連接されても電圧降下が少なく、かつ間仕切パネル体の数や連接される順序に関わらず、全体を管理する制御機構を設けることなく、簡単な回路により全ての間仕切パネル体の閉塞部材の移動動作を実現できる。
【０００９】
パネル本体と、電力により駆動される電動機と、前記電動機の駆動により少なくとも天井面あるいは床面との隙間を閉塞するように移動可能な閉塞部材と、を有する間仕切パネル体を備え、
複数の前記間仕切パネル体を誘導路に沿って移動規制端部の方向に移動させて連接させることにより空間を仕切る間仕切パネル装置であって、
前記間仕切パネル体を前記移動規制端部の方向に押圧可能な押圧機構を備え、
前記押圧機構によって複数の前記間仕切パネル体が押圧された状態で、隣接する前記間仕切パネル体の側部に設けられた電極同士が接続され、前記電動機に電力を供給可能な電力供給回路が形成され、
前記間仕切パネル体は、前記閉塞部材の移動の完了を検知する移動完了検知手段を備え、
前記移動完了検知手段の検知に基づき、当該間仕切パネル体に隣接する前記間仕切パネル体に前記電極を介して電力を供給可能な状態とすることを特徴としている。
この特徴によれば、隣接する間仕切パネル体の電動機に順次電力を供給することにより、順次閉塞部材を移動させることができるため、少なくとも１つの間仕切パネル体に設けられる閉塞部材を移動させるために必要な電力を供すればよく電源を小型にできる。
【００１０】
前記電力供給回路を構成する前記間仕切パネル体の電気回路は、一対の入力端子と、一対の出力端子と、前記入力端子を介して供給される電力により動作する前記電動機と、前記移動完了検知手段に接続される切替スイッチと、を備え、
前記入力端子は、前記電動機と接続され、少なくとも一方の前記入力端子は、前記切替スイッチを介して前記電動機と接続されており、
前記切替スイッチは、前記移動完了検知手段が前記閉塞部材の移動の完了を検知していない状態では、前記入力端子と前記電動機とを電気的に接続し、前記移動完了検知手段が前記閉塞部材の移動の完了を検知した状態では、前記入力端子と前記出力端子とを電気的に接続することを特徴としている。
この特徴によれば、間仕切パネル体の数や連接される順序に関わらず、全体を管理する制御機構を設けることなく、簡単な回路により全ての間仕切パネル体の閉塞部材の移動動作を実現できる。
【００１１】
前記電気回路は、前記電動機と前記切替スイッチを複数組備え、
前記切替スイッチと前記出力端子との間に、複数の前記切替スイッチからの入力信号の論理積に基づき前記切替スイッチを切替させる論理装置が設けられていることを特徴としている。
この特徴によれば、１つの間仕切パネル体が閉塞部材を移動させるための電動機を複数有している場合であっても、当該間仕切パネル体の閉塞部材の移動動作が終了するまでは、隣接する間仕切パネル体に電力が供給されないため、電源を小型化できる。
【００１２】
前記入力端子と前記出力端子との電気的な接続は、前記移動完了検知手段の検知結果に応じて動作するリレーにより行われることを特徴としている。
この特徴によれば、移動完了検知手段による移動完了検知までは、リレーが非導通とされるため、隣接する間仕切パネル体への電力の供給を確実に防ぐことができ、隣接する間仕切パネルによる電圧降下を抑えることができる。
【図面の簡単な説明】
【００１３】
【図１】間仕切パネル装置の設置例を示す斜視図である。
【図２】側部閉塞機構による間仕切パネルの閉塞及び押圧の様子を示す斜視図である。
【図３】間仕切パネルの構造を示す部分断面図である。
【図４】（ａ）〜（ｃ）は、間仕切パネルの上方の閉塞部材及び進退機構の閉塞動作を示す部分断面図である。
【図５】（ａ）〜（ｃ）は、隣接する間仕切パネル間における給電コネクタ及び受電コネクタの接続について示した模式図である。
【図６】実施例１における最後尾の間仕切パネル及び隣接する間仕切パネルが有する電気回路における回路の切り替え構造と電気の流れを示す回路図である。
【図７】実施例１における最後尾の間仕切パネル及び隣接する間仕切パネルが有する電気回路における回路の切り替え構造と電気の流れを示す回路図である。
【図８】実施例１における最後尾の間仕切パネル及び隣接する間仕切パネルが有する電気回路における回路の切り替え構造と電気の流れを示す回路図である。
【図９】（ａ）〜（ｃ）は、間仕切パネル装置を構成する間仕切パネルの上下の隙間が閉塞部材により順次閉塞される様子を示した模式図である。
【図１０】実施例２における間仕切パネルが有する電気回路の構成を示す概念図である。
【図１１】実施例２における最後尾の間仕切パネル及び隣接する間仕切パネルが有する電気回路における回路の切り替え構造と電気の流れを示す回路図である。
【図１２】実施例２における最後尾の間仕切パネル及び隣接する間仕切パネルが有する電気回路における回路の切り替え構造と電気の流れを示す回路図である。
【図１３】実施例２における最後尾の間仕切パネル及び隣接する間仕切パネルが有する電気回路における回路の切り替え構造と電気の流れを示す回路図である。
【図１４】電気回路の切り替え及び電気回路同士の電気的な接続を実現可能な電気回路を示す回路図である。
【発明を実施するための形態】
【００１４】
本発明に係る間仕切パネル装置を実施するための形態を実施例に基づいて以下に説明する。
【実施例１】
【００１５】
実施例１に係る間仕切パネル装置につき、図１から図９を参照して説明する。以下、図２の画面手前側を間仕切パネル装置の正面側（前方側）とし、図２の画面奥側を間仕切パネル装置の背面側（後方側）とし、その前方側から見たときの上下左右方向を基準として説明する。
【００１６】
本実施例の間仕切パネル装置１は、例えば、オフィスや展示会場、会議室等の室内空間を区画するために設置され、図１に示されるように、室内空間に天井Ｃに亘って設置されるレール３（誘導路）に沿って移動可能な吊支部材３０，３０により上端を吊支される複数の間仕切パネル２，２，…（間仕切パネル体）から主に構成され、レール３の一方の端部に設けられる格納レール３１の位置に格納された間仕切パネル２，２，…をレール３に沿って側壁Ｗに設けられる移動規制端部５の方向に所定の位置まで手動で順次移動させることによって、間仕切パネル２，２，…を一列に連接させて天井Ｃから床の床面Ｆに亘って室内空間を仕切ることができるようになっている。
【００１７】
尚、移動規制端部５とは、間仕切パネル装置１を構成する間仕切パネル２，２，…の内、先頭に設置される間仕切パネル２が当接し、先頭の間仕切パネル２の移動を規制する端部を構成する所定の側壁部や支柱等のことである。また、間仕切パネル２，２，…に設けられる電気回路７０，７０，…及びこれらの電気回路７０，７０，…及び電源６等により構成される電力供給回路７の詳細は後述する。
【００１８】
また、図２に示されるように、間仕切パネル装置１を構成する間仕切パネル２，２，…の内、最後尾の間仕切パネル２’は、側壁Ｗに設けられる側部閉塞機構４（押圧機構）から左右方向に進出退入可能に移動する側部閉塞部材４ａによって間仕切パネル２’の側部２ａと側部閉塞機構４との隙間が閉塞されるようになっている。尚、間仕切パネル２’の側部２ａと側部閉塞機構４との隙間が側部閉塞部材４ａにより閉塞される際に、側部閉塞部材４ａによって間仕切パネル２’が移動規制端部５の方向に押圧されることにより、一列に連接された間仕切パネル２，…，２’がそれぞれ移動規制端部５の方向に押圧され、隣接する間仕切パネル２，２，…，２’同士を密着させて遮音性や遮蔽性が高められるようになっている。尚、側部閉塞機構４における側部閉塞部材４ａの左右方向への移動は作動スイッチの操作等により動作する電動機を用いた機構等により電動で行われる。
【００１９】
間仕切パネル２は、パネル材２０ａ，２０ａを表裏に備えたパネル本体２０と、表裏のパネル材２０ａ，２０ａの間にパネル本体２０の上下端部２０ｂ，２０ｂ’から所定の高さ範囲に形成される上下の格納部２０ｃ，２０ｃ’と、該格納部２０ｃ，２０ｃ’に一組ずつ格納される閉塞部材２１，２１’及び進退機構２６，２６’と、から主に構成されている。
【００２０】
間仕切パネル２は、パネル本体２０の上下端部２０ｂ，２０ｂ’とレール３の下面３ａ（天井面）及び床の床面Ｆとの隙間が後述する密閉部材２２，２２’により閉塞される（図４参照）と同時に所定の位置に固定されることにより、複数の間仕切パネル２，２，…により仕切られた室内空間における遮音性や遮蔽性が確保できるようになっている。尚、本実施例における天井面は、天井Ｃ側の隙間を閉塞する際に密閉部材２２が当接する面、すなわち、天井Ｃに設けられる部材（ここではレール３）の一部の下面３ａを指す。また、本実施例における床面についても同様である。
【００２１】
また、パネル本体２０は、表面に焼付塗装等が施された鋼板に石膏ボードが裏打ちされたパネル材２０ａ，２０ａによって表裏面が形成され、上述した上下の格納部２０ｃ，２０ｃ’間に形成されるパネル部２０ｄには、グラスウール等の充填材２０ｅが挟み込まれることにより遮音性が高められている。尚、パネル材２０ａ，２０ａにおけるパネル部２０ｄの構成部分については、ガラスパネル等から構成されてもよい。
【００２２】
また、密閉部材２２，２２’によるレール３の下面３ａ及び床の床面Ｆとの隙間の閉塞は、閉塞部材２１，２１’及び進退機構２６，２６’による閉塞動作によって行われ、上述した側部閉塞機構４による側方の閉塞と併せて、間仕切パネル装置１によって仕切られる室内空間の遮音性や遮蔽性を確保できるようになっている。
【００２３】
尚、上述した閉塞部材２１，２１’及び進退機構２６，２６’による閉塞動作は、側部閉塞機構４に配設される給電コネクタ７２（電極）から最後尾の間仕切パネル２’の側部２ａに設けられる受電コネクタ７１（電極）を介して電力が供給され後述する電気回路７０に電気が流れることにより行われる。また、間仕切パネル２の側部２ａ，２ａ’の上方には、同じ高さ位置に一組の受電コネクタ７１及び給電コネクタ７２が設けられており、隣接する間仕切パネル２，２，…の間で対向するそれぞれの側部２ａ，２ａ’に設けられる受電コネクタ７１及び給電コネクタ７２が接続されることにより電源６からの電力が隣接する間仕切パネル２，２，…に順に供給されるようになっている。
【００２４】
次いで、間仕切パネル２における閉塞部材２１，２１’及び進退機構２６，２６’の構造について図３及び図４を用いて説明する。尚、パネル本体２０の上下の格納部２０ｃ，２０ｃ’にそれぞれ格納される閉塞部材２１，２１’及び進退機構２６，２６’の構成は、略同一であることから、上方の格納部２０ｃに格納される閉塞部材２１及び進退機構２６の構成について説明し、下方の格納部２０ｃ’に格納される閉塞部材２１’及び進退機構２６’の構成についての説明は省略する。
【００２５】
図３及び図４に示されるように、閉塞部材２１は、パネル本体２０の左右方向に亘って延びる密閉部材２２と、該密閉部材２２の下方に設けられ後述する進退機構２６のリンク部２８により軸支される支持部材２３と、密閉部材２２と支持部材２３とを上下方向に接離可能に連結する一対の弾性部材２４，２４と、密閉部材２２と支持部材２３との間に設けられるリミットスイッチ２５（移動完了検知手段）と、から主に構成されている。
【００２６】
密閉部材２２は、パネル本体２０と左右方向に略同一寸法を成し、パネル本体２０の格納部２０ｃから上方に向けて進出可能になっている。また、密閉部材２２の前後上端は、内方に折り曲げられた屈曲部２２ａ，２２ａがそれぞれ形成され、この屈曲部２２ａ，２２ａ上に弾性を有するゴム等で形成された緩衝部材２２０，２２０が固着されており、この緩衝部材２２０，２２０の上端面２２０ａ，２２０ａが、密閉部材２２をパネル本体２０の格納部２０ｃから上方に向けて進出させた場合にレール３の下面３ａに当接し、密閉部材２２の側面部によりパネル本体２０の上端部２０ｂとレール３との隙間を閉塞できるようになっている（図４（ｃ）参照）。尚、密閉部材２２の内部には、図示しない吸音材が設けられており、閉塞時の遮音性が高められている。
【００２７】
支持部材２３は、密閉部材２２よりも左右方向に短寸を成し、密閉部材２２の下方に設けられ、密閉部材２２をパネル本体２０の格納部２０ｃに退入させた場合には、支持部材２３の上面２３ａの左右端部に設けられる一対の弾性部材２４，２４によって密閉部材２２との間に所定の上下間隔が保持されるようになっている。また、支持部材２３は、後述する進退機構２６のリンク部２８により左右方向の重心を外した一点の軸支部分で回動可能に軸支されている。
【００２８】
弾性部材２４，２４は、上下方向に付勢するコイル状の圧縮バネ２４ａ，２４ａと、該圧縮バネ２４ａ，２４ａに軸通されるボルト形状の軸芯２４ｂ，２４ｂと、から構成されており、軸芯２４ｂ，２４ｂの下端は、支持部材２３の左右端近傍に下方側から上端側が上方に突出するように螺着されている。また、圧縮バネ２４ａ，２４ａの下端は、溶接等により支持部材２３の上面２３ａに固定されている。
【００２９】
また、弾性部材２４，２４の上端は、密閉部材２２の底部２２ｂに左右方向に所定間隔置いて穿設される図示しない貫通孔に挿入されて上方に突出しており、該突出位置に上方から取付けられる押圧部材２２ｄ，２２ｄによって圧縮バネ２４ａ，２４ａの上端が押圧された状態が常に維持されている。
【００３０】
リミットスイッチ２５は、密閉部材２２の底部２２ｂに穿設された図示しない設置孔を上方から閉塞するように取付けられており、後述する電気回路７０の切り替えを行うマイクロスイッチ２５ｃ（切替スイッチ，図６参照）を内蔵するスイッチ本体２５ａと、設置孔から密閉部材２２の下方に突出し上下方向に回動可能なヒンジ・レバー形の作動体２５ｂと、該作動体２５ｂの動作により操作されるプッシュプランジャ形のアクチュエータ（図示略）と、から構成されている。また、作動体２５ｂの先端は、支持部材２３の軸支部分から遠い位置に設けられる弾性部材２４の近傍に向けて延びており、密閉部材２２と支持部材２３との隙間が左右方向に亘って全て閉塞した場合にのみ作動体２５ｂが回動してアクチュエータが操作されるようになっている（図４（ｃ）参照）。
【００３１】
進退機構２６は、電源６から供給される電力により駆動する直動モータ２７（電動機）と、直動モータ２７の動力を閉塞部材２１の支持部材２３に伝達するリンク部２８と、から主に構成されている。
【００３２】
直動モータ２７は、回転運動を直線運動に変換する図示しない台形ネジを内蔵するシリンダ２７ａと、台形ネジの先端に取付けられシリンダ２７ａの端部から左右方向に直線的に進退可能に設けられるロッド２７ｂと、から構成されている。また、運動伝達の精度が高い台形ネジを使用した直動モータ２７によりロッド２７ｂを動作させているため、ロッド２７ｂを正確な位置で停止させることができ、電力の供給が停止された際の停止位置で保持されるようになっている。
【００３３】
リンク部２８は、略入字状を成しており、一方の端部を直動モータ２７のロッド２７ｂの先端に回動可能に連結され、他方の端部を支持部材２３の軸支部分に回動可能に連結されており、直動モータ２７のロッド２７ｂの左右方向の直線運動を受けて、支持部材２３の軸支部分を略上下方向に直線運動させるように力の方向の変換を行うことができるようになっている。
【００３４】
次いで、パネル本体２０の上方の格納部２０ｃに格納される閉塞部材２１及び進退機構２６による閉塞動作について図４を用いて説明する。
【００３５】
図４（ａ）に示されるように、閉塞部材２１及び進退機構２６による閉塞動作が開始されると、先ず、電源６から供給される電力を受けて進退機構２６を構成する直動モータ２７が駆動されロッド２７ｂが左方向に進出し、これに伴ってリンク部２８により支持部材２３の軸支部分が略上下方向に直線運動するように力の方向の変換が行われ、支持部材２３の軸支部分が上方に持ち上げられる。このとき、リンク部２８は、支持部材２３の軸支部分に回動可能に連結されているため、支持部材２３が自重により軸支部分を支点に回動することにより閉塞部材２１は左右方向に傾斜した状態となる。
【００３６】
図４（ｂ）に示されるように、直動モータ２７の駆動が継続されロッド２７ｂが左方向にさらに進出していくと、支持部材２３が上方に持ち上げられて軸支部分を支点に左右方向の傾斜がさらに大きくなり、支持部材２３の軸支部分の上方に設けられる密閉部材２２に固着された緩衝部材２２０の上端面２２０ａ，２２０ａの左方の端部近傍がレール３の下面３ａに接触した状態になる。
【００３７】
さらに、直動モータ２７の駆動が継続されると、上述した密閉部材２２に固着された緩衝部材２２０の上端面２２０ａ，２２０ａの左方の端部近傍がレール３の下面３ａに接触した状態で下方から押圧力が作用し、支持部材２３の軸支部分から近い位置に設けられる弾性部材２４の圧縮バネ２４ａによる付勢力と上記押圧力との均衡が取れた段階で接触部分を支点として密閉部材２２が反時計回りに回動し、支持部材２３の軸支部分から離れた右方側の端部が上方に持ち上げられるようになる。
【００３８】
直動モータ２７の駆動が継続されロッド２７ｂが左方向にさらに進出していくと、支持部材２３の軸支部分から離れた側の端部が上方に持ち上げられていき、上述した密閉部材２２に固着された緩衝部材２２０の上端面２２０ａ，２２０ａとレール３の下面３ａとの接触部分を支点として密閉部材２２が回動し、図４（ｃ）に示されるように、密閉部材２２に固着された緩衝部材２２０の上端面２２０ａ，２２０ａがレール３の下面３ａに当接する。
【００３９】
また、密閉部材２２に固着された緩衝部材２２０の上端面２２０ａ，２２０ａとレール３の下面３ａとが面同士で当接した時点では、直動モータ２７の駆動は継続されており、密閉部材２２及び支持部材２３は、上方にさらに押圧され、密閉部材２２と支持部材２３との上下の隙間が左右方向に亘って全て閉塞される。これに伴いリミットスイッチ２５の作動体２５ｂが回動してアクチュエータが操作され、スイッチ本体２５ａに内蔵されたマイクロスイッチ２５ｃによって後述する電気回路７０の切り替えが行われることにより直動モータ２７への電力の供給が遮断され、直動モータ２７の駆動が停止することで閉塞部材２１及び進退機構２６による閉塞動作が完了する。
【００４０】
次いで、隣接する間仕切パネル２，２，…における各電気回路７０，７０，…同士の接続について説明する。尚、ここでは、最後尾の間仕切パネル２’の側部２ａ’に設けられる給電コネクタ７２と隣接する間仕切パネル２の側部２ａに設けられる受電コネクタ７１との接続について説明する。また、側部閉塞機構４の給電コネクタ７２は、間仕切パネル２の側部２ａ’に設けられる給電コネクタ７２と略同一構成であるため、その説明は省略する。
【００４１】
図５（ａ）に示されるように、隣接する間仕切パネル２，２’の対向する側部２ａ，２ａ’上方には、同じ高さ位置で対向するように受電コネクタ７１と給電コネクタ７２が図示しないネジ等で取付けられている。受電コネクタ７１は、側面視略Ｔ字状の複数のピンコンタクト７１ｃ，７１ｃ，…を有しており、当該ピンコンタクト７１ｃ，７１ｃ，…は、前述した電気回路７０の入力端子７１ａ，７１ｂが接続された接続部７１ｇ，７１ｇ，…に接離可能に接続されている。また、給電コネクタ７２は、複数のソケットコンタクト７２ｃ，７２ｃ，…を有しており、ソケットコンタクト７２ｃ，７２ｃ，…は、前述した電気回路７０の出力端子７２ａ，７２ｂに接続されている。
【００４２】
ピンコンタクト７１ｃ，７１ｃ，…は、受電コネクタ７１の外枠を構成するベース部材７１ｄの内部に向けて没入可能に取付けられているとともに、ピンコンタクト７１ｃ，７１ｃ，…の頭部７１ｅ，７１ｅ，…が、ソケットコンタクト７２ｃ，７２ｃ，…側に向けて付勢されるようにベース部材７１ｄと頭部７１ｅ，７１ｅ，…との間に押しバネ７１ｆ，７１ｆ，…が配設されている。これにより、図５（ａ）に示す状態では、ピンコンタクト７１ｃ，７１ｃ，…の内側端部が入力端子７１ａ，７１ｂとの接続部７１ｇに非接触の状態となっている。
【００４３】
図５（ｂ）に示されるように、ソケットコンタクト７２ｃ，７２ｃ，…にピンコンタクト７１ｃ，７１ｃ，…の頭部７１ｅ，７１ｅ，…が接触した段階では、ソケットコンタクト７２ｃ，７２ｃ，…と隣接する電気回路７０の入力端子７１ａ，７１ｂとは電気的に接続されていない。ここで言う、ソケットコンタクト７２ｃ，７２ｃ，…にピンコンタクト７１ｃ，７１ｃ，…の頭部７１ｅ，７１ｅ，…が接触した段階とは、間仕切パネル２，２，…，２’を手動で順次移動させ、一列に連接させた状態であり、間仕切パネル２，２，…，２’が側部閉塞機構４によって移動規制端部５の方向へ押圧される前の段階である。
【００４４】
そして、図５（ｃ）に示されるように、間仕切パネル２，２，…が側部閉塞機構４によって移動規制端部５の方向へ押圧されると、ソケットコンタクト７２ｃ，７２ｃ，…にピンコンタクト７１ｃ，７１ｃ，…が接触した状態からピンコンタクト７１ｃ，７１ｃ，…が押圧され、ピンコンタクト７１ｃ，７１ｃ，…の内側端部が入力端子７１ａ，７１ｂとの接続部７１ｇ，７１ｇ，…に接触する所定の位置まで没入した段階となる。この段階において、ソケットコンタクト７２ｃ，７２ｃ，…と隣接する電気回路７０の入力端子７１ａ，７１ｂ，…とが、ピンコンタクト７１ｃ，７１ｃ，…及び接続部７１ｇ，７１ｇ，…を介して電気的に接続されるようになる。すなわち、隣接する間仕切パネル２，２における電気回路７０，７０同士が接続され、１つの回路となる。尚、側部閉塞機構４に配設される給電コネクタ７２は、最後尾の間仕切パネル２’の受電コネクタ７１と接続可能となっている。また、本発明における電力供給回路７とは、間仕切パネル２，２，…，２’が側部閉塞機構４によって移動規制端部５の方向へ押圧されることにより隣接する間仕切パネル２，２，…の電気回路７０，７０，…同士が電気的に接続され、かつ側部閉塞機構４の電源６を有する電気回路７０’と最後尾の間仕切パネル２’の電気回路７０とが電気的に接続され、電源６から電力を供給可能な状態に電気的に接続された電気回路７０，７０，…，７０’のことである（図８及び図９参照）。
【００４５】
次いで、電力供給回路７において隣接する電気回路７０，７０（７０Ａ，７０Ｂ）間の電気の流れについて図６〜図８を用いて説明する。尚、ここでは、電源６と接続される最後尾の間仕切パネル２’の電気回路７０Ａと、該間仕切パネル２’に隣接する間仕切パネル２の電気回路７０Ｂと、の間の電気の流れについて例示する。さらに尚、図６〜図８においては、電気回路７０Ａの出力端子７２ａ，７２ａ’及び７２ｂと電気回路７０Ｂの入力端子７１ａ，７１ａ’及び７１ｂとは、離間して図示されているが電気的に接続されている状態として説明する。側部閉塞機構４の出力端子７２ａ，７２ａ’及び７２ｂと、電気回路７０Ａの入力端子７１ａ，７１ａ’及び７１ｂについても同様である。
【００４６】
各間仕切パネル２，２’に設けられる電気回路７０の構造については、図６〜図８に示されるように、電気回路７０は、受電コネクタ７１に設けられる一対の入力端子７１ａ，７１ａ’と入力端子７１ｂと、給電コネクタ７２に設けられる一対の出力端子７２ａ，７２ａ’と出力端子７２ｂと、入力端子７１ａと出力端子７２ａとの間を接続する第１ライン７３（第１直通ライン）と、入力端子７１ｂと出力端子７２ｂとの間を接続する第２ライン７４（第２直通ライン）と、第１ライン７３と第２ライン７４とを接続する２つの第１分岐ライン７６及び第２分岐ライン７７と、から主に構成されている。尚、一対の入力端子とは、＋極と−極の入力端子が一対の関係であることを意味しており、入力端子７１ａ，７１ａ’は、ひとまとまりの＋極の入力端子に、また入力端子７１ｂは−極の入力端子に対応している。一対の出力端子についても同様である。
【００４７】
また、第１ライン７３から分岐ライン７３０が分岐し、電磁リレー７５（リレー，受信部）の端子部７３０ａが接続されている。さらに入力端子７１ａ’は、電磁リレー７５のコイル部７５ｂを介して入力端子７１ｂに接続されている。
【００４８】
電磁リレー７５は、上流側の端子部７３０ａと下流側の端子部７３０ｂとの間で動作する可動部７５ａと、コイル部７５ｂと、を備えている。可動部７５ａは、コイル部７５ｂが非通電状態のときに、端子部７３０ａと端子部７３０ｂとを接続せず、コイル部７５ｂが通電状態のときに、端子部７３０ａと端子部７３０ｂとを電気的に接続する。すなわち、電磁リレー７５は、入力端子７１ａ’から電気が流れることによりコイル部７５ｂが通電状態となり、入力端子７１ａと、第１分岐ライン７６及び第２分岐ライン７７に接続される間仕切パネル２における上下の直動モータ２７，２７’及び上下のマイクロスイッチ２５ｃ，２５ｃ’と導通状態とされる。
【００４９】
第１分岐ライン７６及び第２分岐ライン７７において、マイクロスイッチ２５ｃ，２５ｃ’（送信部）は、両方のマイクロスイッチ２５ｃ，２５ｃ’からの通電状態（移動完了状態信号）を確認した際に導通する論理装置７８（通知制御部）を介して出力端子７２ａ’に接続されている。
【００５０】
また、マイクロスイッチ２５ｃ，２５ｃ’は、出力端子７２ａ’側と直動モータ２７，２７’側とに回路を切り換え可能となっている。詳しくは、マイクロスイッチ２５ｃ，２５ｃ’は、間仕切パネル２’の上下の隙間が閉塞部材２１，２１’により閉塞されていない状態（例えば、電気回路７０Ａ，７０Ｂ同士が電気的に接続された直後等）にあっては、直動モータ２７，２７’側に回路を接続させ、閉塞部材２１，２１’が閉塞完了状態となっているときにのみ出力端子７２ａ’側に回路を接続させることができるようになっている。
【００５１】
図６に示されるように、電気回路７０Ａにおいては、第１ライン７３を介して入力端子７１ａから出力端子７２ａに電流が流れ得るようになっており、電気回路７０Ａに電気的に接続される電気回路７０Ｂに電流が流れ、電気回路７０Ａと同様に第１ライン７３を介して入力端子７１ａから出力端子７２ａに電流が流れ得るように構成されている。このとき、電気回路７０Ｂにおいては、入力端子７１ａ’から電気が流れていないためコイル部７５ｂは非通電状態であり、電磁リレー７５は、入力端子７１ａと、第１分岐ライン７６及び第２分岐ライン７７に接続される間仕切パネル２における上下の直動モータ２７，２７’及び上下のマイクロスイッチ２５ｃ，２５ｃ’との通電状態を非導通状態にしている。
【００５２】
電気回路７０Ａにおいては、入力端子７１ａ’からコイル部７５ｂに電源６からの電流が流れて該コイル部７５ｂが励磁され、可動部７５ａが、端子部７３０ａと端子部７３０ｂとを接続し、入力端子７１ａと電磁リレー７５の下流側とを通電可能状態とする。これにより、電源６の＋極から流れる電気は、分岐ライン７３０と第１分岐ライン７６及び第２分岐ライン７７とを介して直動モータ２７，２７’に流れ、第２ライン７４を介して電源６の−極に戻るようになっている。
【００５３】
図７に示されるように、間仕切パネル２’の片側の閉塞部材のみが閉塞動作を完了した場合（例えば、図６の状態から間仕切パネル２’の下側の閉塞部材２１’が閉塞動作を完了し、間仕切パネル２’の上側の閉塞部材２１が閉塞動作を継続中の場合）にあっては、第２分岐ライン７７のマイクロスイッチ２５ｃ’が出力端子７２ａ’側に接続される回路を形成するとともに、第１分岐ライン７６のマイクロスイッチ２５ｃは、引き続き直動モータ２７側に接続される回路を形成する。したがって、電流は、第１分岐ライン７６を介して直動モータ２７に流れる。尚、このとき、論理装置７８には、第２分岐ライン７７のマイクロスイッチ２５ｃ’が電気的に接続されており、第１分岐ライン７６のマイクロスイッチ２５ｃは電気的に接続されていないため、該論理装置７８は、出力端子７２ａ’側に導通しておらず、出力端子７２ａ’に対して電流が流れていない。
【００５４】
図８に示されるように、間仕切パネル２’の上下の隙間が閉塞部材２１，２１’により閉塞された状態にあっては、第１分岐ライン７６及び第２分岐ライン７７においてマイクロスイッチ２５ｃ，２５ｃ’が共に出力端子７２ａ’側に電気的に接続される。このとき、論理装置７８には、第１分岐ライン７６のマイクロスイッチ２５ｃ及び第２分岐ライン７７のマイクロスイッチ２５ｃ’の両方が電気的に接続されるため、該論理装置７８は、出力端子７２ａ’側に導通することにより、入力端子７１ａと出力端子７２ａ’とを通電可能状態とする。
【００５５】
電気回路７０Ａにおいて、入力端子７１ａから出力端子７２ａ’に電流が流れることにより、電気回路７０Ｂにおいて、入力端子７１ａ’から電気が流れるようになるため、コイル部７５ｂは通電状態となり、電磁リレー７５は、入力端子７１ａと、第１分岐ライン７６及び第２分岐ライン７７に接続される間仕切パネル２における上下の直動モータ２７，２７’及び上下のマイクロスイッチ２５ｃ，２５ｃ’との通電状態を導通状態にすることができる。
【００５６】
次いで、間仕切パネル装置１の間仕切パネル２，２，…，２’による室内空間の閉塞工程について説明する。本実施例における間仕切パネル装置１は、先ず、間仕切パネル装置１を構成する全ての間仕切パネル２，２，…，２’をレール３に沿って移動規制端部５の方向に手動で順次移動させて一列に連接された状態にする（図１及び図２参照）。このとき、側部閉塞機構４の給電コネクタ７２と最後尾の間仕切パネル２’の受電コネクタ７１においては、ソケットコンタクト７２ｃ，７２ｃ，…とピンコンタクト７１ｃ，７１ｃ，…を介して接続部７１ｇ，７１ｇ…とが電気的に接続されておらず、間仕切パネル装置１を構成する全ての間仕切パネル２，２，…，２’において閉塞部材２１，２１’及び進退機構２６，２６’による閉塞動作が行われていない状態となっている（図９（ａ）参照）。
【００５７】
次に、側部閉塞機構４によって最後尾の間仕切パネル２’が移動規制端部５の方向に押圧されることにより（図２参照）、最後尾の間仕切パネル２’の受電コネクタ７１が側部閉塞機構４の給電コネクタ７２の接続部分により押圧され、ソケットコンタクト７２ｃ，７２ｃ，…とピンコンタクト７１ｃ，７１ｃ，…とが電気的に接続された状態となり、側部閉塞機構４の電源６を有する電気回路７０’と最後尾の間仕切パネル２’の電気回路７０Ａとが通電可能状態となる（図５（ｃ）参照）。尚、このとき、間仕切パネル装置１を構成する全ての間仕切パネル２，２，…，２’において隣接する間仕切パネル２，２’及び間仕切パネル２，２間で受電コネクタ７１と給電コネクタ７２とが押圧されてソケットコンタクト７２ｃ，７２ｃ，…とピンコンタクト７１ｃ，７１ｃ，…を介して接続部７１ｇ、７１ｇ…とが電気的に接続され、隣接する間仕切パネル２，２，…，２’全ての電気回路７０Ａ，７０Ｂ，…が導通状態となっている。尚、導通状態とは、電磁リレー７５が動作した場合に隣接する間仕切パネル２，２，…，２’の電気回路７０Ａ，７０Ｂ，…同士が通電可能となることを意味する。
【００５８】
次に、最後尾の間仕切パネル２’において電源６から供給される電力により上下の直動モータ２７，２７’がそれぞれ駆動して閉塞部材２１，２１’及び進退機構２６，２６’による閉塞動作が開始され、間仕切パネル２の上下の隙間が閉塞部材２１，２１’により閉塞される（図４（ｃ）参照）。このとき、上下の閉塞部材２１，２１’が閉塞完了状態となると、マイクロスイッチ２５ｃ，２５ｃ’により前述した電気回路７０Ａの切り替えが行われ（図６〜図８参照）、上下の直動モータ２７，２７’への電力の供給が遮断されることにより直動モータ２７，２７’の駆動が停止し、閉塞部材２１，２１’及び進退機構２６，２６’による閉塞動作が完了する。また、このとき、論理装置７８によりマイクロスイッチ２５ｃ，２５ｃ’の両方が電気的に接続されていると判定されることにより、論理装置７８が出力端子７２ａ’側に導通して出力端子７２ａ’に電気が流れ、隣接する間仕切パネル２，２’間の電気回路７０Ａ，７０Ｂ間で電気が流れるようになり、給電コネクタ７２及び受電コネクタ７１を介して最後尾の間仕切パネル２’に隣接する間仕切パネル２に電源６からの電力が供給されるようになる。
【００５９】
このように、リミットスイッチ２５，２５’による閉塞部材２１，２１’の閉塞完了状態の検知とマイクロスイッチ２５ｃ，２５ｃ’による電気回路７０の切り替えが行われ、上下の直動モータ２７，２７’の駆動停止と、隣接する間仕切パネル２，２，…への電力の供給とが順次行われることにより、図９（ｂ）に示されるように、一列に連接された間仕切パネル２，２，…，２’に閉塞部材２１，２１’及び進退機構２６，２６’による閉塞動作を最後尾の間仕切パネル２’から先頭側に順次行わせて、間仕切パネル装置１を構成する全ての間仕切パネル２，２，…，２’を上下の閉塞部材２１，２１’により閉塞できるようになっている（図９（ｃ）参照）。尚、図９（ｂ）においては、最後尾の間仕切パネル２’及び最後尾から２番目の間仕切パネル２の閉塞動作が完了し、最後尾から３番目の間仕切パネル２の閉塞動作が行われている状態を示している。
【００６０】
これによれば、レール３に沿って一列に連接された複数の間仕切パネル２，２，…，２’が側部閉塞機構４によって同時に押圧されることにより、間仕切パネル２，２，…同士の側部２ａ，２ａ’が上下左右に亘って精度良く位置決めされた状態で、側部閉塞機構４の電源６を有する電気回路７０’と最後尾の間仕切パネル２’の電気回路７０Ａの間、及び隣接する間仕切パネル２，２，…，２’同士の電気回路７０Ａ，７０Ｂ，…間において出力端子７２ａ，７２ａ’及び７２ｂと入力端子７１ａ，７１ａ’及び７１ｂとが電気的に接続されて電源６から電力が供給可能な電力供給回路７が形成され、間仕切パネル２，２，…，２’にそれぞれ設けられる上下の直動モータ２７，２７’を駆動させて閉塞部材２１，２１’及び進退機構２６，２６’による閉塞動作を順次行うことができ、間仕切パネル装置１による室内空間の遮蔽性を確実に高めることができる。
【００６１】
また、隣接する間仕切パネル２，２，…の直動モータ２７，２７’に順次電力を供給することにより閉塞部材２１，２１’及び進退機構２６，２６’による閉塞動作を順次行うことができるため、１つの間仕切パネル２における閉塞動作に必要な電力の供給により全ての間仕切パネル２，２，…の閉塞動作を完了させることができ、電源６を小型化することができる。また、電源６の容量として、１つの電気回路７０の直動モータ２７，２７’を駆動するものを準備すればよいため、設置される間仕切パネル２，２，…，２’の数を考慮する必要がない。
【００６２】
また、間仕切パネル２は、閉塞部材２１，２１’の閉塞完了状態と連携して上述した電気回路７０の切り替えを行うマイクロスイッチ２５ｃ，２５ｃ’を電気回路７０に有していることにより、間仕切パネル２の数や連接される順序に関わらず、間仕切パネル装置１全体を管理する制御機構を設けることなく、簡単な回路構成により全ての間仕切パネル２，２，…の閉塞動作を実現することができる。
【００６３】
また、電気回路７０は、１つの回路に直動モータ２７とマイクロスイッチ２５ｃを複数組（本実施例においては、上下２組）備えており、複数のマイクロスイッチ２５ｃ，２５ｃ’，…と出力端子７２ａ’との間に、マイクロスイッチ２５ｃ，２５ｃ’，…により切り替えられた入力信号の論理積を出力端子７２ａ’に出力する論理装置７８が設けられているため、間仕切パネル２の閉塞動作に必要な直動モータ２７を複数有している場合であっても、当該間仕切パネル２における全ての閉塞動作が完了するまでは、隣接する間仕切パネル２に電力が供給されないため、電源６を小型化することができる。尚、１つの電気回路７０に３以上の直動モータとマイクロスイッチを設ける場合には、論理装置は全てのマイクロスイッチの論理積をとるようにすればよい。
【００６４】
また、入力端子７１ａと直動モータ２７，２７’及びマイクロスイッチ２５ｃ，２５ｃ’との電気的な接続は、リミットスイッチ２５の検知結果に応じて動作する電磁リレー７５により行われるため、リミットスイッチ２５による閉塞完了検知までは、電磁リレー７５が非導通状態とされるため、隣接する間仕切パネル２への電力の供給を確実に防ぐことができ、隣接する間仕切パネル２による電圧降下を抑えることができる。尚、本実施例において電気回路７０の入力端子７１ａと直動モータ２７，２７’及びマイクロスイッチ２５ｃ，２５ｃ’との電気的な接続を行うためのリレーは、電磁リレー７５に限らず、例えば、ソリッドステートリレーによって行われてもよい。
【００６５】
また、入力端子７１ａと出力端子７２ａが直通の第１ライン７３で接続され、同様に、入力端子７１ｂと出力端子７２ｂが直通の第２ライン７４で接続されているため電気回路９０における接触抵抗がなく、すなわち、受電コネクタ７１及び給電コネクタ７２の接続以外での接触抵抗がなくなり、複数の電気回路７０，７０，…が接続されても電圧降下が少ない。また、電源６から高い電圧をかけ、間仕切パネル２毎に図示しないＤＣ／ＤＣコンバータを設け、所定の電圧に変換させる構成とすることもでき、この構成では電圧降下があった場合においても、常に一定の電圧を直動モータに供給することができる。
【００６６】
尚、閉塞状態信号は、電気信号である必要はなく、受信部、送信部、通知制御部を電気回路７０の構成に含まず、それぞれ別体で設けるようにしてもよい。
【００６７】
また、受電コネクタ７１及び給電コネクタ７２は、レール３に吊支される間仕切パネル２の上方に設けられているため、すなわち、相対的に不動であるレール３の近傍に設けられているため、受電コネクタ７１及び給電コネクタ７２の接触位置が前後にずれ難くなっている。また、受電コネクタ７１及び給電コネクタ７２を設ける位置は、レール３に近いほど間仕切パネル２，２’の上下前後のずれ量が少なくなり好ましく、例えば、間仕切パネル２，２’の高さ方向の半分よりも上方の位置、さらに好ましくは上方の直動モータ２７に対応する高さ位置に設けるとよい。
【００６８】
また、側部閉塞機構４は、それ自身が電動で動作されるものであるため電源６を自身ないし近傍に設ける必要があるとともに、側部閉塞機構４は、最後尾の間仕切パネル２’に隣接して設けられるため、側部閉塞機構４と最後尾の間仕切パネル２’との配置関係は、間仕切パネル２，２，…，２’の枚数に拘わらず、同様であることから、側部閉塞機構４に電源６が配設されることにより移動規制端部５側等に別途電源を設ける必要がないため、設置・施行性に優れる。
【実施例２】
【００６９】
次に、実施例２に係る間仕切パネル装置につき、図１０から図１４を参照して説明する。尚、前記実施例と同一構成で重複する構成を省略する。また、電気回路７０と同一構成の部分については、同一符号を用いて説明する。
【００７０】
各間仕切パネル２，２’に設けられる電気回路９０の構造について図１０を用いて説明する。図１０に示されるように、電気回路９０は、受電コネクタ７１に設けられる一対の入力端子７１ａ，７１ｂと、給電コネクタ７２に設けられる一対の出力端子７２ａ，７２ｂと、入力端子７１ａと出力端子７２ａとの間を接続する第１ライン９１と、入力端子７１ｂと出力端子７２ｂとの間を接続する第２ライン９２と、第１ライン９１と第２ライン９２とを接続する２つの第１分岐ライン９３及び第２分岐ライン９４と、から主に構成されている。
【００７１】
第１ライン９１には、第１分岐ライン９３及び第２分岐ライン９４よりも下流側の位置に電磁リレー７５が設けられている。この電磁リレー７５は、第１ライン９１における該電磁リレー７５よりも上流側の端子部９１ａと該電磁リレー７５よりも下流側の端子部９１ｂとの間で動作する可動部７５ａと、コイル部７５ｂと、を備えている。可動部７５ａは、コイル部７５ｂが非通電状態のときに、端子部９１ａと端子部９１ｂとを接続せず、コイル部７５ｂが通電状態のときに、端子部９１ａと端子部９１ｂとを電気的に接続する。すなわち、電磁リレー７５は、入力端子７１ａと出力端子７２ａとの通電状態を非導通から導通状態に切り換える。
【００７２】
第１分岐ライン９３及び第２分岐ライン９４には、間仕切パネル２’における上下の直動モータ２７，２７’と、上下のマイクロスイッチ２５ｃ，２５ｃ’と、がそれぞれ電気的に直列接続されており、マイクロスイッチ２５ｃ，２５ｃ’は、直動モータ２７，２７’の受電コネクタ７１側に接続されている。また、マイクロスイッチ２５ｃ，２５ｃ’は、両方のマイクロスイッチ２５ｃ，２５ｃ’からの通電状態を確認した際に導通する論理装置７８を介してコイル部７５ｂに接続されている。
【００７３】
また、マイクロスイッチ２５ｃ，２５ｃ’は、コイル部７５ｂ側と直動モータ２７，２７’側とに回路を切り換え可能となっている。詳しくは、マイクロスイッチ２５ｃ，２５ｃ’は、閉塞部材２１，２１’が閉塞完了状態となっていないときには、直動モータ２７，２７’側に回路を接続させ、閉塞部材２１，２１’が閉塞完了状態となっているときにのみコイル部７５ｂ側に回路を接続させることができるようになっている。
【００７４】
次いで、電力供給回路９において隣接する電気回路９０，９０（９０Ａ，９０Ｂ）間の電気の流れについて図１１〜図１３を用いて説明する。図１１に示されるように、間仕切パネル２’の上下の隙間が閉塞部材２１，２１’により閉塞されていない状態にあっては、第１ライン９１において電磁リレー７５により入力端子７１ａと出力端子７２ａとが通電不能状態となっているとともに、第１分岐ライン９３及び第２分岐ライン９４においてマイクロスイッチ２５ｃ，２５ｃ’が直動モータ２７（上側）及び直動モータ２７’（下側）にそれぞれ接続される回路を形成している。したがって、電源６の＋極から流れる電気は、第１分岐ライン９３及び第２分岐ライン９４を介して直動モータ２７，２７’に流れ、第２ライン９２を介して電源６の−極に戻るようになっている。
【００７５】
図１２に示されるように、間仕切パネル２’の片側の閉塞部材のみが閉塞動作を完了した場合（例えば、図１１の状態から間仕切パネル２’の下側の閉塞部材２１’が閉塞動作を完了し、間仕切パネル２’の上側の閉塞部材２１が閉塞動作を継続中の場合）にあっては、第２分岐ライン９４のマイクロスイッチ２５ｃ’がコイル部７５ｂ側に接続される回路を形成するとともに、第１分岐ライン９３のマイクロスイッチ２５ｃは、引き続き直動モータ２７側に接続される回路を形成する。したがって、電流は、第１分岐ライン９３を介して直動モータ２７に流れる。尚、このとき、論理装置７８には、第２分岐ライン９４のマイクロスイッチ２５ｃ’が電気的に接続されており、第１分岐ライン９３のマイクロスイッチ２５ｃは電気的に接続されていないため、該論理装置７８は、コイル部７５ｂ側に導通しておらず、コイル部７５ｂに対して電流が流れていない。
【００７６】
また、図１３に示されるように、間仕切パネル２’の上下の隙間が閉塞部材２１，２１’により閉塞された状態にあっては、第１分岐ライン９３及び第２分岐ライン９４においてマイクロスイッチ２５ｃ，２５ｃ’が共にコイル部７５ｂ側に電気的に接続される。このとき、論理装置７８には、第１分岐ライン９３のマイクロスイッチ２５ｃ及び第２分岐ライン９４のマイクロスイッチ２５ｃ’の両方が電気的に接続されるため、該論理装置７８は、コイル部７５ｂ側に導通してコイル部７５ｂに電流が流れる。
【００７７】
また、コイル部７５ｂに電流が流れると、該コイル部７５ｂが励磁され、可動部７５ａが、第１ライン９１の端子部９１ａと端子部９１ｂとを接続し、入力端子７１ａと出力端子７２ａとを通電可能状態とする。このように電磁リレー７５により、電気回路９０Ａから電気回路９０Ｂに電流が流れるようになる。尚、コイル部７５ｂの他端は、第２ライン９２を介して電源６の−極に接続されている。
【００７８】
これによれば、出力端子７２ａ，７２ｂと入力端子７１ａ，７１ｂとの電気的な接続は、リミットスイッチ２５の検知結果に応じて動作する電磁リレー７５により行われるため、リミットスイッチ２５による閉塞完了検知までは、電磁リレー７５が非導通状態とされるため、隣接する間仕切パネル２への電力の供給を確実に防ぐことができ、隣接する間仕切パネル２による電圧降下を抑えることができる。
【００７９】
次いで、前述した電気回路９０の構成に基づいて本発明の電気回路の切り替え及び電気回路同士の電気的な接続を実施可能な電気回路９０の変形例について図１４を用いて説明する。尚、ここでは、側部閉塞機構４の電源６を有する電気回路７０’と電気的に接続される電気回路９００との接続について例示する。また、電気回路９００は、一組の直動モータ２７及びマイクロスイッチ２５ｃを備えているものとして説明し、電気回路９０と同一構成の部分については、同一符号を用いて説明する。
【００８０】
図１４に示されるように、電気回路９００は、一対の入力端子７１ａ，７１ｂと、一対の出力端子７２ａ，７２ｂと、入力端子７１ａとマイクロスイッチ２５ｃとの間を接続する第１ライン８０と、マイクロスイッチ２５ｃと入力端子７１ｂとの間を接続する第１分岐ライン８１と、マイクロスイッチ２５ｃと出力端子７２ｂとの間を接続する第２分岐ライン８２と、から主に構成されている。また、第１分岐ライン８１には直動モータ２７が接続されており、マイクロスイッチ２５ｃは、直動モータ２７の上流側に接続されている。
【００８１】
マイクロスイッチ２５ｃは、出力端子７２ｂ側と直動モータ２７側とに回路を切り換え可能となっており、詳しくは、マイクロスイッチ２５ｃは、通常時に直動モータ２７側に回路を接続させ、閉塞部材２１が閉塞完了状態となったときにのみ出力端子７２ａ側に接続させることができるようになっている。
【００８２】
これによれば、間仕切パネル２は、リミットスイッチ２５による閉塞部材２１の閉塞完了状態の検知と連携して上述した電気回路９００の切り替えを行うマイクロスイッチ２５ｃを電気回路９００に有していることにより、間仕切パネル２の数や連接される順序に関わらず、間仕切パネル装置１全体を管理する制御機構を設けることなく、簡単な回路構成により全ての間仕切パネル２，２，…，２’の閉塞動作を実現することができる。
【００８３】
以上、本発明の実施例を図面により説明してきたが、具体的な構成はこれら実施例に限られるものではなく、本発明の要旨を逸脱しない範囲における変更や追加があっても本発明に含まれる。
【００８４】
尚、前記実施例において、間仕切パネル２，２，…，２’が閉塞動作を順次行う態様について説明したが、間仕切パネル２，２，…，２’が開放動作を順次行う態様とすることも可能であり、例えば、閉塞部材２１，２１’が格納部２０ｃ，２０ｃ’に完全に格納された状態（開放完了状態）を検知可能な開検知スイッチ（移動完了検知手段）を設け、開検知スイッチによる閉塞部材２１，２１’の開放完了状態の検知と連携して電気回路の切り替えを行うマイクロスイッチを電気回路に設けることにより、マイクロスイッチから送信される移動完了状態信号の受信に基づき間仕切パネル２，２，…，２’の直動モータ２７，２７’に順次電力を供給して間仕切パネル２，２，…，２’の上下の隙間を開放するように順次閉塞部材２１，２１’を移動させることができる。
【００８５】
また、前記実施例において、間仕切パネル２，２，…，２’に電力を供給する電源６が最後尾の間仕切パネル２’が当接する側部閉塞機構４に設けられている態様として説明したが、これに限らず、電源６の位置や構成等は自由に構成されてよく、例えば、移動規制端部５側に電源が設けられるものであってもよく、この場合、移動規制端部５には、先頭の間仕切パネル２の側部２ａ’の上方に設けられる受電コネクタ７１と対向する高さ位置に電源６が配設されており、該電源６から受電コネクタ７１を介して間仕切パネル２に電力が供給されるようになっている。また、間仕切パネル装置１の端部を構成する間仕切パネル２自体が電源や充電器等の電力供給手段を有していてもよい。
【００８６】
また、前記実施例において、電気回路には直流電流が流れる態様として説明したが、これに限らず、電気回路に流れる電流は交流電流であってもよい。
【００８７】
また、前記実施例において、間仕切パネル２，２，…，２’は、閉塞部材２１，２１’が順次閉塞される態様として説明したが、これに限らず、各間仕切パネルには、閉塞部材２１，２１’の閉塞動作用の作動スイッチが設けられ、電気回路の接続等に不具合が生じた場合等には、個々に閉塞部材２１，２１’の閉塞を行えるようにしてもよい。
【００８８】
また、前記実施例において、間仕切パネル２は、電源６から供給される電力により駆動する直動モータ２７，２７’の動作を受けて閉塞部材２１，２１’が閉塞動作を行う態様として説明したが、これに限らず、例えば、クランクハンドルを用いてウォームギアを連動させることにより電力が供給されない状態でも手動で閉塞部材２１，２１’の閉塞動作を行えるようにしてもよい。
【００８９】
また、前記実施例においては、上下のリミットスイッチ２５，２５’にそれぞれ閉塞部材２１，２１’による閉塞が正常に行われなかった際に、これらの異常を検知して報知する報知手段を設けることにより、レール３の下面３ａとの隙間や床面Ｆとの隙間への異物の挟まり等を把握することができる。
【００９０】
また、前記実施例においては、隣接する間仕切パネル２，２の対向する側部２ａ，２ａ’に亘って凹凸嵌合する金属製のフレームや樹脂製の密閉部材等を設けることにより、遮音性や遮蔽性を高めるようにしてもよい。
【符号の説明】
【００９１】
１                間仕切パネル装置
２                間仕切パネル（間仕切パネル体）
３                レール（誘導路）
３ａ              下面（天井面）
４                側部閉塞機構（押圧機構）
５                移動規制端部
６                電源
７，９            電力供給回路
２０              パネル本体
２１，２１’      閉塞部材
２２              密閉部材
２３              支持部材
２４              弾性部材
２５，２５’      リミットスイッチ（移動完了検知手段）
２５ｃ，２５ｃ’  マイクロスイッチ（切替スイッチ，送信部）
２６，２６’      進退機構
２７，２７’      直動モータ（電動機）
２７ａ            シリンダ
２７ｂ            ロッド
２８              リンク部
３０              吊支部材
３１              格納レール
７０，７０’      電気回路
７１              受電コネクタ（電極）
７１ａ，７１ｂ    入力端子
７１ｃ            ピンコンタクト
７２              給電コネクタ（電極）
７２ａ，７２ｂ    出力端子
７２ｃ            ソケットコンタクト
７３              第１ライン（第１直通ライン）
７４              第２ライン（第２直通ライン）
７５              電磁リレー（リレー，受信部）
７５ａ            可動部
７５ｂ            コイル部
７６              第１分岐ライン
７７              第２分岐ライン
７８              論理装置（通知制御部）
９０              電気回路
９１              第１ライン
９２              第２ライン
２２０            緩衝部材
７３０            分岐ライン
９００            電気回路
【図１】
0006703421.tif 000002
【図２】
0006703421.tif 000003
【図３】
0006703421.tif 000004
【図４】
0006703421.tif 000005
【図５】
0006703421.tif 000006
【図６】
0006703421.tif 000007
【図７】
0006703421.tif 000008
【図８】
0006703421.tif 000009
【図９】
0006703421.tif 000010
【図１０】
0006703421.tif 000011
【図１１】
0006703421.tif 000012
【図１２】
0006703421.tif 000013
【図１３】
0006703421.tif 000014
【図１４】
0006703421.tif 000015